(57)【要約】【課題】電子先幕の使用時で撮影間隔を短縮可能な撮像装置及びフォーカルプレーンシャッタを提供することを課題とする。【解決手段】撮像素子と、前記撮像素子の蓄積電荷を画素ライン毎に所定方向に順次リセットすることにより電子先幕を擬似的に走行させる制御部と、前記撮像素子を露出する開口を有する基板、前記開口を開閉する機械式の後幕、前記後幕を駆動する後幕駆動レバー、前記後幕駆動レバーを駆動するアクチュエータ、前記開口の少なくとも一部を開閉する遮光部材、前記遮光部材を駆動する遮光部材駆動レバー、前記遮光部材駆動レバーに設けられた連結部材、前記遮光部材が前記開口から退避するように前記遮光部材駆動レバーを付勢する付勢部材、を含むフォーカルプレーンシャッタと、を備えた撮像装置。【選択図】図６
2014228799.tif 000002
【特許請求の範囲】
【請求項１】
撮像素子と、
前記撮像素子の蓄積電荷を画素ライン毎に所定方向に順次リセットすることにより電子先幕を擬似的に走行させる制御部と、
前記撮像素子を露出する開口を有する基板、前記開口を開閉する機械式の後幕、前記後幕を駆動する後幕駆動レバー、前記後幕駆動レバーを駆動するアクチュエータ、前記開口の少なくとも一部を開閉する遮光部材、前記遮光部材を駆動する遮光部材駆動レバー、前記遮光部材駆動レバーに設けられた連結部材、前記遮光部材が前記開口から退避するように前記遮光部材駆動レバーを付勢する付勢部材、を含むフォーカルプレーンシャッタと、を備え、
前記後幕が前記開口を閉鎖し前記遮光部材が前記開口から退避した状態で、前記後幕駆動レバー及び連結部材は、互いに連結した連結状態となり、
前記連結状態で前記後幕が前記開口から退避するように前記後幕駆動レバーが移動すると、前記後幕駆動レバーに連動して前記開口を閉鎖状態に維持しつつ前記遮光部材は前記開口に進行するように前記遮光部材駆動レバーが移動し、
前記後幕が前記開口から退避するように前記後幕駆動レバーが移動している間に前記連結状態が解除され、前記遮光部材駆動レバーは前記付勢部材の付勢力により前記遮光部材が前記開口から退避するように移動し、
前記制御部は、前記閉鎖状態において、前記撮像素子から画像データの読み出しを行う、撮像装置。
【請求項２】
前記後幕駆動レバーは、前記連結部材に係合可能な係合部を含み、
前記連結部材は、前記遮光部材駆動レバーに揺動可能に連結された支持部、前記係合部に係合可能な被係合部、を含み、前記支持部から前記被係合部にまで延びた板状である、請求項１の撮像装置。
【請求項３】
前記フォーカルプレーンシャッタは、連結付勢部材を含み、
前記連結付勢部材は、一端が前記遮光部材駆動レバーに固定され他端が前記連結部材に固定され、前記連結状態で前記連結部材を前記後幕駆動レバーに向けて付勢する、請求項２の撮像装置。
【請求項４】
前記連結状態が解除された状態で前記後幕駆動レバーが一方向に揺動することにより、前記後幕駆動レバーは前記連結部材に連結された前記連結状態となり、前記連結部材は前記後幕駆動レバーの逆方向へのバウンドを抑制する、請求項１乃至３の何れかの撮像装置。
【請求項５】
前記フォーカルプレーンシャッタは、前記基板に回転可能に支持されたローラを含み、
前記ローラは、前記連結状態で前記後幕が前記開口から退避するように前記後幕駆動レバーが移動している途中で前記後幕駆動レバーから前記連結部材が離脱するように前記連結部材をガイドする、請求項１乃至４の何れかの撮像装置。
【請求項６】
前記ローラを径が異なる他のローラに交換することにより、前記後幕駆動レバーから前記連結部材が離脱するタイミングが調整できる、請求項５の撮像装置。
【請求項７】
前記連結部材は、前記後幕駆動レバー及び遮光部材駆動レバーのそれぞれの揺動の中心を結ぶ仮想線と前記開口との間に位置している、請求項１乃至６の何れかの撮像装置。
【請求項８】
開口を有する基板と、
前記開口を開閉する機械式の後幕と、
前記後幕を駆動する後幕駆動レバーと、
前記後幕駆動レバーを駆動するアクチュエータと、
前記開口の少なくとも一部を開閉する遮光部材と、
前記遮光部材を駆動する遮光部材駆動レバーと、
前記遮光部材駆動レバーに設けられた連結部材と、
前記遮光部材が前記開口から退避するように前記遮光部材駆動レバーを付勢する付勢部材と、を備え、
前記後幕が前記開口を閉鎖し前記遮光部材が前記開口から退避した状態で、前記後幕駆動レバー及び連結部材は、互いに連結した連結状態となり、
前記連結状態で前記後幕が前記開口から退避するように前記後幕駆動レバーが移動すると、前記後幕駆動レバーに連動して前記開口を閉鎖状態に維持しつつ前記遮光部材は前記開口に進行するように前記遮光部材駆動レバーが移動し、
前記後幕が前記開口から退避するように前記後幕駆動レバーが移動している間に前記連結状態が解除され、前記遮光部材駆動レバーは前記付勢部材の付勢力により前記遮光部材が前記開口から退避するように移動する、フォーカルプレーンシャッタ。
【発明の詳細な説明】
【技術分野】
【０００１】
本発明は、撮像装置及びフォーカルプレーンシャッタに関する。
【背景技術】
【０００２】
例えば特許文献１には、電子先幕と機械式の後幕とを用いた撮像装置が開示されている。基板の開口から後幕が退避した状態で電子先幕を走行させ、その後に後幕により開口を閉じることにより、露光が行われる。
【先行技術文献】
【特許文献】
【０００３】
【特許文献１】特開２０１０−３４８１８号公報
【発明の概要】
【発明が解決しようとする課題】
【０００４】
露光作動終了後では、撮像素子から画像のデータの読み出しが行われる。画像データの読み出し中では、画質への影響を考慮して撮像素子への光の入射を遮断する必要がある。従って、露光作動終了後は所定期間、後幕により開口を閉じた状態に維持する必要がある。
【０００５】
ノーマリーオープンタイプのシャッタを用いる場合、露光終了後に撮像素子から画像データの読み出しが終了してから、後幕を開口から退避させる。これにより、露光終了後に、カメラの液晶モニタに撮像素子からの出力をリアルタイムに映し出すライブビュー表示が可能となる。
【０００６】
また、連写撮影時にも、露光終了後に撮像素子から画像データの読み出しが終了してから、次の露光作動のために後幕を開口から退避させてチャージ動作する必要がある。
【０００７】
このように、露光作動終了後では撮像素子から画像データを読み出すまでは後幕を駆動することはできない。このため、撮影間隔を短縮できないおそれがある。
【０００８】
そこで本発明は、電子先幕の使用時で撮影間隔を短縮可能な撮像装置及びフォーカルプレーンシャッタを提供することを目的とする。
【課題を解決するための手段】
【０００９】
上記目的は、撮像素子と、前記撮像素子の蓄積電荷を画素ライン毎に所定方向に順次リセットすることにより電子先幕を擬似的に走行させる制御部と、前記撮像素子を露出する開口を有する基板、前記開口を開閉する機械式の後幕、前記後幕を駆動する後幕駆動レバー、前記後幕駆動レバーを駆動するアクチュエータ、前記開口の少なくとも一部を開閉する遮光部材、前記遮光部材を駆動する遮光部材駆動レバー、前記遮光部材駆動レバーに設けられた連結部材、前記遮光部材が前記開口から退避するように前記遮光部材駆動レバーを付勢する付勢部材、を含むフォーカルプレーンシャッタと、を備え、前記後幕が前記開口を閉鎖し前記遮光部材が前記開口から退避した状態で、前記後幕駆動レバー及び連結部材は、互いに連結した連結状態となり、前記連結状態で前記後幕が前記開口から退避するように前記後幕駆動レバーが移動すると、前記後幕駆動レバーに連動して前記開口を閉鎖状態に維持しつつ前記遮光部材は前記開口に進行するように前記遮光部材駆動レバーが移動し、前記後幕が前記開口から退避するように前記後幕駆動レバーが移動している間に前記連結状態が解除され、前記遮光部材駆動レバーは前記付勢部材の付勢力により前記遮光部材が前記開口から退避するように移動し、前記制御部は、前記閉鎖状態において、前記撮像素子から画像データの読み出しを行う、撮像装置によって達成できる。
【００１０】
上記目的は、開口を有する基板と、前記開口を開閉する機械式の後幕と、前記後幕を駆動する後幕駆動レバーと、前記後幕駆動レバーを駆動するアクチュエータと、前記開口の少なくとも一部を開閉する遮光部材と、前記遮光部材を駆動する遮光部材駆動レバーと、前記遮光部材駆動レバーに設けられた連結部材と、前記遮光部材が前記開口から退避するように前記遮光部材駆動レバーを付勢する付勢部材と、を備え、前記後幕が前記開口を閉鎖し前記遮光部材が前記開口から退避した状態で、前記後幕駆動レバー及び連結部材は、互いに連結した連結状態となり、前記連結状態で前記後幕が前記開口から退避するように前記後幕駆動レバーが移動すると、前記後幕駆動レバーに連動して前記開口を閉鎖状態に維持しつつ前記遮光部材は前記開口に進行するように前記遮光部材駆動レバーが移動し、前記後幕が前記開口から退避するように前記後幕駆動レバーが移動している間に前記連結状態が解除され、前記遮光部材駆動レバーは前記付勢部材の付勢力により前記遮光部材が前記開口から退避するように移動する、フォーカルプレーンシャッタによって達成できる。
【発明の効果】
【００１１】
本発明によれば、電子先幕の使用時で撮影間隔を短縮可能な撮像装置及びフォーカルプレーンシャッタを提供できる。
【図面の簡単な説明】
【００１２】
【図１】図１は、本実施例に係るフォーカルプレーンシャッタの一部の構成のみを示した正面図である。
【図２】図２は、フォーカルプレーンシャッタの一部の構成のみを示した正面図である。
【図３】図３は、アクチュエータの説明図である。
【図４】図４は、フォーカルプレーンシャッタを備えたカメラのブロック図である。
【図５】図５は、フォーカルプレーンシャッタのタイミングチャートである。
【図６】図６は、フォーカルプレーンシャッタの動作の説明図である。
【図７】図７は、フォーカルプレーンシャッタの動作の説明図である。
【図８】図８は、フォーカルプレーンシャッタの動作の説明図である。
【図９】図９は、フォーカルプレーンシャッタの動作の説明図である。
【発明を実施するための形態】
【００１３】
以下、図面を参照して本発明に係る実施例を説明する。図１、２は、本実施例に係るフォーカルプレーンシャッタ１の一部の構成を示した正面図である。
【００１４】
図１に示すように、フォーカルプレーンシャッタ１は、基板１０、羽根２１ａ、２１ｂ〜２４ｂ、アーム３１ａ、３２ａ、３１ｂ、３２ｂ等を有している。基板１０は、樹脂により成形して作られている。そして、基板１０には、矩形状の開口１１を有している。
【００１５】
後幕２０Ｂは、４枚の羽根２１ｂ〜２４ｂから構成される。遮光部材２０Ａも同様に、４枚の羽根から構成されるが、図１に示すように、１枚の羽根２１ａのみを示している。図１は、遮光部材２０Ａが重畳状態であり後幕２０Ｂが展開状態の場合を示している。図１の場合には、遮光部材２０Ａは開口１１から退避し、後幕２０Ｂが開口１１を閉鎖している。
【００１６】
図１に示すように、遮光部材２０Ａはアーム３１ａ、３２ａに連結されている。後幕２０Ｂは、アーム３１ｂ、３２ｂに連結されている。これらアーム３１ａ、３２ａ、３１ｂ、３２ｂは、それぞれ基板１０に揺動自在に支持されている。アーム３１ａ、３１ｂには、それぞれ嵌合孔３３ａ、３３ｂが形成されている。
【００１７】
図２に示すように、基板１０には、アーム３１ａ、３１ｂをそれぞれ駆動するための遮光部材駆動レバー４０ａ（以下、駆動レバーと称する）、後幕駆動レバー４０ｂ（以下、駆動レバーと称する）が設けられている。駆動レバー４０ａ、４０ｂは、それぞれ、軸部４５ａ、４５ｂを有している。軸部４５ａ、４５ｂは、基板１０に対して回転可能に支持されている。これにより、駆動レバー４０ａ、４０ｂは、基板１０に所定範囲を揺動可能に支持されている。駆動レバー４０ａ、４０ｂには、それぞれ駆動ピン４３ａ、４３ｂが設けられている。基板１０には、駆動ピン４３ａ、４３ｂの移動をそれぞれ逃す逃げ孔１３ａ、１３ｂが設けられている。逃げ孔１３ａ、１３ｂは、それぞれ円弧状である。駆動ピン４３ａ、４３ｂは、それぞれアーム３１ａの嵌合孔３３ａ、アーム３１ｂの嵌合孔３３ｂと嵌合している。駆動レバー４０ａが揺動することにより、アーム３１ａが揺動し、これにより遮光部材２０Ａが移動する。同様に、駆動レバー４０ｂが揺動することにより、アーム３１ｂが揺動し、これにより後幕２０Ｂが移動する。
【００１８】
尚、駆動レバー４０ａは、遮光部材２０Ａが開口１１から退避するように復帰バネ６０ａにより付勢されている。復帰バネ６０ａは、一端が基板１０に固定され他端が駆動レバー４０ａに固定されている。復帰バネ６０ａは、付勢部材の一例である。また、駆動レバー４０ａ、４０ｂは、それぞれ平板部４１ａ、４１ｂを有している。軸部４５ａ、４５ｂは、それぞれ平板部４１ａ、４１ｂから突出している。駆動ピン４３ａ、４３ｂは、それぞれ軸部４５ａ、４５ｂとは逆方向に突出している。
【００１９】
図３は、フォーカルプレーンシャッタ１に採用されているアクチュエータ７０ｂの図である。アクチュエータ７０ｂは基板１０上に支持されている。アクチュエータ７０ｂは、基板１０に回転可能に支持されたロータ７１ｂ、励磁されることによりロータ７１ｂとの間で磁力が作用するステータ７４ｂ、ステータ７４ｂを励磁するためのコイル７６ｂを備えている。ロータ７１ｂは、周方向に異なる極性に着磁された永久磁石である。ロータ７１ｂの回転軸は、駆動レバー４０ｂの軸部に連結されている。このため、コイル７６ｂへの通電によりロータ７１ｂが回転し、駆動レバー４０ｂが回転する。駆動レバー４０ｂが回転することにより、後幕２０Ｂが走行する。また、コイル７６ｂへの逆通電によりロータ７１ｂが逆回転し、後幕２０Ｂが前述とは逆方向に走行する。尚、ロータ７１ｂと駆動レバー４０ｂとの連結は、ギアなどを介して間接的に連結されていてもよい。即ち、ロータ７１ｂの回転に連動して駆動レバー４０ｂが回転する構成であればよい。
【００２０】
フォーカルプレーンシャッタ１には、図２に示すように連結部材９０が設けられている。連結部材９０は、駆動レバー４０ｂに連動して駆動レバー４０ａを駆動するためのものである。連結部材９０は、駆動レバー４０ａに揺動可能に設けられ、駆動レバー４０ｂに連結可能である。連結部材９０の基端部には、筒部９４ａが設けられている。支持部である筒部９４ａは、駆動レバー４０ａの平板部４１ａに形成された軸部４９ａに回転可能に嵌合している。これにより、連結部材９０は、駆動レバー４０ａに対して揺動可能に支持されている。
【００２１】
連結部材９０の先端部には、被係合部９４ｂが設けられている。被係合部９４ｂは、駆動レバー４０ｂの軸部４５ｂの外周部から突出した係合部４９ｂに係合可能である。このように、連結部材９０は駆動レバー４０ａから駆動レバー４０ｂへ延びた、換言すれば、支持部から被係合部へ延びた略板状である。図２では、係合部４９ｂ、被係合部９４ｂが係合して連結部材９０が駆動レバー４０ａに連結した連結状態となる。被係合部９４ｂは平板部４１ｂ上に支持されている。従って、連結部材９０の基端部は駆動レバー４０ａの平板部４１ａ上に支持され、連結部材９０の先端部は駆動レバー４０ｂの平板部４１ｂ上に支持されている。平板部４１ａ、４１ｂは、略同一平面状に位置している。図１、２は、露光作動終了直後の状態を示しており、露光作動終了直後では連結状態となる。
【００２２】
駆動レバー４０ａ、連結部材９０には、連結部材９０を駆動レバー４０ｂに付勢して連結状態を維持するための連結バネ８０が取り付けられている。連結バネ８０は、筒部９４ａに嵌合している。連結バネ８０は、一端が駆動レバー４０ａに形成された突起部４８ａに当接している。連結バネ８０の他端は、連結部材９０に形成された突起部９８に当接している。連結バネ８０は連結部材９０を反時計方向に付勢している。即ち、連結部材９０の被係合部９４ｂが駆動レバー４０ｂ側に付勢されている。連結バネ８０は、連結付勢部材の一例である。
【００２３】
連結部材９０には、連結部材９０の長手方向に沿った逃げ孔９５が形成されている。逃げ孔９５には、基板１０に設けられた突部１５が遊びを有した状態で嵌合している。即ち、突部１５が逃げ孔９５内に位置した状態で、連結部材９０は長手方向に所定の範囲を移動可能であるとともに、軸部４９ａ周りの所定範囲を揺動可能である。
【００２４】
連結部材９０には、筒部９４ａ付近に傾斜部９６が形成されている。傾斜部９６は、被係合部９４ｂから筒部９４ａの方向にかけて外側に突出するように傾斜している。また、連結部材９０の傾斜部９６側には、基板１０の軸部に回転可能に支持されたローラＲが設けられている。詳しくは後述する。
【００２５】
尚、連結部材９０は、常に２つの駆動レバー４０ａ、４０ｂの平板部４１ａ、４１ｂ上に支持されている。連結部材９０の厚さは、軸部４５ａ、４５ｂの高さを超えない程度に設定されていることが望ましい。
【００２６】
フォーカルプレーンシャッタ１を備えたカメラの構成について説明する。図４は、フォーカルプレーンシャッタ１を備えたカメラのブロック図である。カメラは、フォーカルプレーンシャッタ１、制御部３００、撮像素子４００等を備えている。制御部３００は、カメラ全体の動作を制御し、ＣＰＵ、ＲＯＭ、ＲＡＭ等を備えている。尚、カメラは、図５には図示していないが、焦点距離を調整するためのレンズ等を備えている。
【００２７】
制御部３００は、アクチュエータ７０ｂのコイル７６ｂの通電状態を制御する。撮像素子４００は、被写体像を電気信号に変換して画像データを生成する。制御部３００は、撮像素子４００で生成された画像データを読み出して記録する。撮像素子４００は、例えばＣＣＤやＣＭＯＳである。
【００２８】
制御部３００は、撮像素子４００の蓄積電荷を画素ライン毎に所定方向に順次リセットすることにより電子先幕を擬似的に走行させる制御部の一例に相当する。具体的には、後幕２０Ｂの走行方向と直交する撮像素子４００の画素ライン毎に、撮像素子４００の蓄積電荷をリセットする。これにより、電子的な先幕が露光開始位置から露光終了位置へ向けて擬似的に走行する。また、撮像素子４００は、遮光部材２０Ａ、後幕２０Ｂが開口１１から退避している場合には開口１１により露出される。
【００２９】
尚、カメラのレリーズボタンへの操作に応じて、連写モード又は単写モードに切り替えられる。レリーズボタンへの長押しにより連写モードに切り替えられ、レリーズボタンを押している間はカメラは連続的に撮影する。レリーズボタンへの短押しにより単写モードに切り替えられてレリーズボタンを押す毎にカメラは１枚の画像を撮影する。
【００３０】
次に、フォーカルプレーンシャッタ１の動作について説明する。図５は、フォーカルプレーンシャッタ１のタイミングチャートである。図６〜９は、フォーカルプレーンシャッタ１の動作の説明図である。尚、図６〜９においては、一部構成を省略してある。また、図６〜９には、一部の符号を省略してある。図１、２は、露光作動終了直後の状態を示している。尚、図８、９においては、遮光部材２０Ａ、後幕２０Ｂ等については省略してある。
【００３１】
図１、２に示された露光作動終了後、チャージ動作が開始される。具体的には、アクチュエータ７０ｂに通電されることにより、駆動レバー４０ｂが反時計方向に揺動する。駆動レバー４０ｂには、連結部材９０が連結しているため、駆動レバー４０ｂの反時計方向の揺動により連結部材９０が駆動レバー４０ａから駆動レバー４０ｂ側へ移動する。これに伴って駆動レバー４０ａも反時計方向に揺動する。これにより、後幕２０Ｂは、開口１１から退避するように移動する。遮光部材２０Ａは展開して開口１１を閉鎖するように移動する。図６は、連結状態で駆動レバー４０ａが揺動している途中の状態を示している。
【００３２】
ここで、連結状態では遮光部材２０Ａ、後幕２０Ｂは、開口１１を閉鎖状態に維持するように走行する。詳細には、後幕２０Ｂが開口１１から退避するように駆動レバー４０ｂが移動すると、開口１１から退避する後幕２０Ｂに追従して開口１１を閉鎖状態に維持しつつ遮光部材２０Ａが開口１１に進行するように、駆動レバー４０ａが駆動レバー４０ｂに連動して移動する。従って、後幕２０Ｂが開口１１から退避している間は遮光部材２０Ａが開口１１に進行して、開口１１を閉鎖状態に維持する。
【００３３】
駆動レバー４０ｂが反時計方向に揺動して後幕２０Ｂが開口１１から退避している途中で、傾斜部９６がローラＲに当接する。これにより、連結部材９０が駆動レバー４０ｂ側に移動するほど、被係合部９４ｂが係合部４９ｂから離れるように連結部材９０は時計方向に揺動する。これにより、被係合部９４ｂが係合部４９ｂから離脱して連結状態が解除される。即ち、傾斜部９６及びローラＲは、被係合部９４ｂが係合部４９ｂから離脱するように連結部材９０をガイドする。この際、連結部材９０は連結バネ８０の付勢力に抗して時計方向に揺動する。連結状態が解除されると、駆動レバー４０ａは、復帰バネ６０ａの付勢力により時計方向に揺動し、これに伴い遮光部材２０Ａは開口１１から退避し連結部材９０は初期位置に戻る。また、駆動レバー４０ｂは、そのまま反時計方向に揺動して、後幕２０Ｂは開口１１から退避して走行開始位置に位置付けられる。
【００３４】
これにより、図８に示すように、遮光部材２０Ａ、後幕２０Ｂが開口１１から退避して開口１１が開放状態となる。フォーカルプレーンシャッタ１は、図５のタイミングチャートに示した待機状態となる。尚、この待機の状態においては、アクチュエータ７０ｂの通電は遮断される。また、待機状態では、遮光部材２０Ａ、後幕２０Ｂは開口１１から退避しているため、撮像素子４００からの出力をカメラの液晶モニタにリアルタイムに映し出すライブビュー表示が可能である。
【００３５】
尚、図８に示すように、連結状態が解除された状態では、連結バネ８０の付勢力によって連結部材９０がローラＲに当接した状態が維持される。これにより、連結部材９０のがたつきを防止することができる。また、連結状態が解除され状態であっても、連結部材９０の先端部は駆動レバー４０ｂの位置によらずに駆動レバー４０ｂの平板部４１ｂ上に支持されている。これにより、連結部材９０を安定して支持することができる。
【００３６】
その後、撮影に際して、カメラのレリーズボタンが押されると、制御部３００は、撮像素子４００に蓄積された電荷を消去するセンサリセットを行う。次に、制御部３００は、撮像素子４００を制御して電子先幕を露光開始位置から露光終了位置へと擬似的に走行させる。電子先幕の走行が開始して所定時間後、制御部３００はアクチュエータ７０ｂのコイル７６ｂを通電させる。これにより、駆動レバー４０ｂが時計方向に揺動する。これにより、図９に示すように、駆動レバー４０ｂの係合部４９ｂが被係合部９４ｂに当接して、連結部材９０は軸部４９ａ周りに時計方向に揺動する。これにより、再び、図２に示すように、係合部４９ｂ、被係合部９４ｂが係合して連結状態となる。
【００３７】
これにより１回の撮影が終了する。アクチュエータ７０ｂのコイル７６ｂへの通電は、通電開始から所定期間経過後に遮断される。図８に示した、開口１１を全開にした状態は、写真撮影時のみならず、例えば動画撮影時においてもこのような状態が形成される。
【００３８】
露光作動が終了すると、図６、７に示したように再び後幕２０Ｂが開口１１から退避した状態に維持して、チャージ動作が行われる。
【００３９】
連写モードでは、チャージ動作終了後に所定期間待機した後に、撮像素子４００に蓄積した電荷を消去するセンサリセットが行われて再び露光が行われる。連写モードでの待機時間は、遮光部材２０Ａが開口１１から退避して停止した際の遮光部材２０Ａのバウンドが停止する時間よりも長く設定されている。単写モードでは、チャージ動作終了後の待機状態で、カメラの液晶モニタにリアルタイムに画像を映し出す。
【００４０】
ここで、チャージ動作においては、上述したように後幕２０Ｂが開口１１から退避するように移動している間、遮光部材２０Ａは後幕２０Ｂと協働で開口１１が閉鎖状態に維持されるように開口１１に進行する。このチャージ動作中での遮光部材２０Ａ、後幕２０Ｂが協働で開口１１を閉鎖している閉鎖状態であって、傾斜部９６及びローラＲによって連結状態が解除されるまでの間において、制御部３００は撮像素子４００から画像データを読み出す。
【００４１】
従って、撮像素子４００からの画像データの読み出しが終了してからチャージ動作を行う場合と比較して、１画像の撮影に要する時間を短くできる。よって、連写モードでは高速連写が可能となる。また、単写モードでも、１画像の撮影に要する時間を短くできるので撮影間隔を短くできる。
【００４２】
尚、本実施例では開口１１が閉鎖状態で撮像素子４００からの画像データを読み出すため、スミアの発生などを防止できる。また、露光作動終了後であり後幕２０Ｂが開口１１から退避し始める前に、画像データの読み出しを開始してもよい。連結状態の解除後で、遮光部材２０Ａと後幕２０Ｂが開口１１から退避して開口１１が開き始める前に、画像データの読み出しが終了していればよい。
【００４３】
連結状態が解除されるタイミングは、後幕２０Ｂが開口１１から退避するように走行している途中であってもよいし、後幕２０Ｂが開口１１から完全に退避した時であってもよい。即ち、撮像素子４００からの画像データの読み出しの終了後であれば、後幕２０Ｂのチャージ動作中に連結状態が解除されてもよい。
【００４４】
また、遮光部材２０Ａは、開口１１を完全に閉鎖できるだけの大きさを有していなくてもよい。遮光部材２０Ａは、後幕２０Ｂと協働で、後幕２０Ｂのチャージ動作中において、撮像素子４００からの画像データの読み出しが終了するまで、開口１１を閉鎖状態に維持できればよいからである。
【００４５】
連結部材９０は、駆動レバー４０ａから駆動レバー４０ｂへ延びた板状であり、略矩形状の基板１０からはみ出さない。また、連結部材９０は、駆動レバー４０ａ、４０ｂのそれぞれの揺動の中心である４５ａ、４５ｂの中心を結ぶ仮想線と開口１１との間に位置する。このため、フォーカルプレーンシャッタ１の大型化が抑制されている。
【００４６】
また、ローラＲを径の異なる他のローラに交換することにより、連結状態が解除されるタイミングを調整することができる。具体的には、ローラの径が大きいほど、連結部材９０を駆動レバー４０ｂから離れる方向に傾斜させることができ、連結状態での被係合部９４ｂと係合部４９ｂとの当接面積を小さくできる。これにより、ローラが傾斜部９６に当接した際に係合部４９ｂから被係合部９４ｂが離脱するタイミングを調整できる。このため、撮像素子４００からの画像データの読み出し期間が異なる複数種類のカメラにおいても、ローラを交換することにより、画像データの読み出し期間に対応させて基板１０が閉鎖状態に維持される期間を調整することができる。
【００４７】
フォーカルプレーンシャッタ１では、駆動レバー４０ａを所定位置で保持するための電磁石や、駆動レバー４０ａを駆動するためのアクチュエータは設けられていない。このため、フォーカルプレーンシャッタ１は、部品点数が削減され、小型化、軽量化、低コスト化が達成されている。また、駆動レバー４０ａ、４０ｂをチャージするためのセット部材は設けられていないため、部品点数が削減され、小型化、軽量化、低コスト化が達成されている。
【００４８】
遮光部材２０Ａは、露光作動時に駆動するものではない。露光作動は、電子先幕と機械式の後幕２０Ｂによって行われる。従って、機械式の先幕のように、遮光部材２０Ａの動作特性、例えば走行開始のタイミング等を厳密に設定する必要はない。
【００４９】
図８、９に示したように、連結状態が解除された状態で駆動レバー４０ｂが時計方向に揺動することにより、駆動レバー４０ｂが揺動している間に、駆動レバー４０ｂの係合部４９ｂが連結部材９０の被係合部９４ｂに当接する。次に、連結バネ８０の付勢力に抗して係合部４９ｂが被係合部９４ｂを押して連結部材９０を駆動レバー４０ｂから退避するように揺動させる。これにより、係合部４９ｂは被係合部９４ｂに係合する。このようにして露光作動が終了する。
【００５０】
このように、露光作動において駆動レバー４０ｂが時計方向に揺動して停止する際には、駆動レバー４０ｂの駆動ピン４３ｂが逃げ孔１３ｂの端部に当接して駆動レバー４０ｂが反時計方向にバウンドするおそれがある。これにより再露光が生じるおそれがある。本実施例の場合、駆動レバー４０ｂが停止する際には、係合部４９ｂが被係合部９４ｂに係合した状態となる。ここで、復帰バネ６０ａと連結バネ８０の付勢力により、係合状態が維持される。即ち、駆動レバー４０ｂがバウンドして反時計方向に回転することが規制される。
【００５１】
また、露光作動において駆動レバー４０ｂが時計方向に揺動して停止する際には、係合部４９ｂが連結バネ８０の付勢力に抗して被係合部９４ｂを押して連結部材９０を揺動させる。このため、駆動レバー４０ｂが停止する直前で駆動レバー４０ｂの揺動速度を低下させることができる。これによっても、駆動レバー４０ｂのバウンド防止が達成されている。
【００５２】
以上本発明の好ましい実施形態について詳述したが、本発明は係る特定の実施形態に限定されるものではなく、特許請求の範囲に記載された本発明の要旨の範囲内において、変形・変更が可能である。
【００５３】
本実施例のフォーカルプレーンシャッタは、スチールカメラやデジタルカメラなどの光学機器に採用できる。
【００５４】
上記実施例においては、羽根が合成樹脂製である場合を説明したが、薄く形成された金属製の羽根であってもよい。
【００５５】
上記実施例において、遮光部材及び後幕は、それぞれ４枚の羽根から構成されるが、これに限定されない。遮光部材及び後幕の羽根の枚数は、それぞれ２枚〜５枚の何れであってもよい。遮光部材の羽の枚数と、後幕の羽根の枚数は異なっていてもよい。
【００５６】
連結部材９０の逃げ孔９５、基板１０の突部１５は設けられていなくてもよい。逃げ孔９５、突部１５は、組立作業性を考慮して設けられている。
【符号の説明】
【００５７】
１  フォーカルプレーンシャッタ
１０  基板
２０Ａ  遮光部材
２０Ｂ  後幕
２１ａ、２１ｂ〜２４ｂ  羽根
３１ａ、３２ａ、３１ｂ、３２ｂ  アーム
４０ａ  遮光部材駆動レバー
４０ｂ  後幕駆動レバー
４９ｂ  係合部
６０ａ  復帰バネ（付勢部材）
７０ｂ  アクチュエータ
８０  連結バネ（連結付勢部材）
９０  連結部材
９４ａ  筒部（支持部）
９４ｂ  被係合部
９６  傾斜部
Ｒ  ローラ
【図１】
2014228799.tif 000003
【図２】
2014228799.tif 000004
【図３】
2014228799.tif 000005
【図４】
2014228799.tif 000006
【図５】
2014228799.tif 000007
【図６】
2014228799.tif 000008
【図７】
2014228799.tif 000009
【図８】
2014228799.tif 000010
【図９】
2014228799.tif 000011